(57)【要約】【課題】  ワークの通孔の内面に突出した大きなバリも強固に擦り落すことができるブラシを提供する。【解決手段】  金属線１を折曲することにより並列する２本の金属線部分２が一対となるブラシ構成部分４を複数形成し、各ブラシ構成部分４の２本の金属線部分２間にブラシ毛５を装着して捻ることにより、ブラシ構成部分４毎に捻りブラシ部７を形成し、複数の捻りブラシ部７の各端部を芯軸１１に固着するとともに、全体として中央部分が膨出するように形成した。【選択図】        図１
2007167365.tif 000002
【特許請求の範囲】
【請求項１】
金属線を折曲することにより並列する２本の金属線部分が一対となるブラシ構成部分を複数形成し、各ブラシ構成部分の２本の金属線部分間にブラシ毛を装着して捻ることにより、ブラシ構成部分毎に捻りブラシ部を形成し、複数の捻りブラシ部の各端部を芯軸に固着するとともに、全体として中央部分が膨出するようにしてなることを特徴とするブラシ。
【請求項２】
前記芯軸は中心位置に挿通され、一方の端部が外部に延在している請求項１に記載のブラシ。
【発明の詳細な説明】
【技術分野】
【０００１】
本発明は、捻りブラシを使用したブラシに関するものである。
【背景技術】
【０００２】
捻りブラシは、複数本の金属線間にブラシ毛を配置して、金属線を捻ることによりブラシ毛を金属線間に挟着固定して製造している。
【特許文献１】特開平７−２４６１１４号
【発明の開示】
【発明が解決しようとする課題】
【０００３】
前記従来の捻りブラシを使用したブラシは、ワークの通孔内に挿入し、ブラシ毛を弾性変形させて通孔の内面に微少に突出した小さなバリを除去することができる。しかし、通孔の内面に突出した大きなバリは、ブラシ毛の弾性変形により擦り落すだけでは、十分に除去することができないため改善が望まれていた。
【０００４】
本発明は、上記した課題を解決するために提案されたもので、ワークの通孔の内面に突出した大きなバリも強固に擦り落すことができるブラシを提供することを目的とする。
【課題を解決するための手段】
【０００５】
前記目的を達成させるため請求項１記載の発明は、金属線を折曲することにより並列する２本の金属線部分が一対となるブラシ構成部分を複数形成し、各ブラシ構成部分の２本の金属線部分間にブラシ毛を装着して捻ることにより、ブラシ構成部分毎に捻りブラシ部を形成し、複数の捻りブラシ部の各端部を芯軸に固着するとともに、全体として中央部分が膨出するようにしてなることを特徴とするブラシである。
【０００６】
また、請求項２記載の発明は、前記芯軸は中心位置に挿通され、一方の端部が外部に延在している請求項１に記載のブラシである。
【発明の効果】
【０００７】
本発明のブラシは、複数の捻りブラシ部の各端部を芯軸に固着するとともに、全体として中央部分が膨出するようにしたので、ワークの通孔内に挿入した場合に各捻りブラシ部が弾性変形して、弾性変形したブラシ毛が通孔の内面から突出した微少なバリを擦り落すだけでなく、捻りブラシ部の中心軸である金属線部分も弾性変形して通孔の内面から突出した大きいバリも強固に擦り落すことができる。
【発明を実施するための最良の形態】
【０００８】
以下に本発明の実施の形態を図面に基いて説明する。図１は本発明の各実施例に共通して使用した成形金属線の金属線部分間にブラシ毛を装着した状態の概略図である。
【０００９】
図１において、成形金属線３は、金属線１を折曲することにより並列する２本の金属線部分２が一対となるブラシ構成部分４を複数形成したものであり、各ブラシ構成部分４の２本の金属線部分２間にブラシ毛５を装着してある。この状態で、ブラシ毛５を装着した各ブラシ構成部分４の２本の金属線部分２を螺旋状に捻り込むことによりブラシ構成部分４毎に捻りブラシ部７を形成して、捻りブラシ部７の一端側の金属線部分２ａが共に連結され、他端側の金属線部分２ｂが自由な一端結束型の構成の捻りブラシ部連設体８を形成することができる。
【００１０】
以下の実施例で説明するブラシ毛としては、合成樹脂線、金属線、生分解線、植物繊維、動物繊維等の何れか１種または２種以上を混合して用いることができる。そして、ブラシ毛に用いる合成樹脂線としては、ナイロン、塩ビ、ポリプロピレン、生分解性プラスティック線等を例示することができ、また、ブラシ毛に用いる金属線としては、ステンレス、ピアノ線、鉄線、銅線等が、植物繊維としては、パキン、パーム等が、動物繊維としては、豚素材、馬素材、狸素材等が、夫々使用される。
【００１１】
そしてこれらのブラシ毛には、研磨砥粒を混入させたものも使用することができる。研磨砥粒としては、例えばステンレスパウダー、金パウダー、チタンパウダー等の金属製パウダー、ダイヤモンドパウダー、セラミックスパウダー、無機質パウダー等であり、これらのいずれか１種または２種以上を合成樹脂、金属のブラシ毛に混入させるものである。
【実施例１】
【００１２】
図２（ａ）は、本発明の実施例１に係るブラシ１０の正面図である。ブラシ１０は、両端部１１ａに雄ネジ１１ｂが形成されている棒状の軸体１１の軸回りに、捻りブラシ部連設体８の各捻りブラシ部７の両端部の複数の金属線部分２ａ，２ｂを配置し、軸体１１の両端部１１ａの各雄ネジ１１ｂにそれぞれナット１２を螺合して、ブラシ部連設体８の各捻りブラシ部７の両端部の複数の金属線部分２ａ，２ｂを纏めて軸体１１に固着し、全体として軸体１１を芯軸として各捻りブラシ部７の中央部分が膨出するようにしたものである。
【００１３】
また、ブラシ１０は、両端１１ａに雄ネジ１１ｂが形成されていない軸体１１を使用して形成することもできる。例えば、図２（ｂ）に示すようにブラシ部連設体８の各捻りブラシ部７の両端側の複数の金属線部分２ａ，２ｂを纏めて、軸体１１の両端１１ａに袋状の絞り金具１３を被せてかしめて一体に固着し、全体として軸体１１を芯軸として各捻りブラシ部７の中央部分が膨出するようにしてもよい。
【実施例２】
【００１４】
図３（ａ）は本発明の実施例２に係るブラシ２０の一部欠截正面図、図３（ｂ）は同ブラシの係合部分を拡大した概略図である。
【００１５】
ブラシ２０は、捻りブラシ部連設体８をシャフト部材２１に取り付けて構成したものである。シャフト部材２１は、棒状の軸体２２に連続して軸体２２より大径の棒状の取っ手２３が延設されて構成されている。シャフト部材２１において、先端に位置する軸体２２の一端部２２ａには雄ネジ２４ａが形成され、また、軸体２２との境に位置する棒状の取っ手２３の一端部２３ａには雄ネジ２４ｂが形成されている。
【００１６】
次に、ブラシ２０の製造手順を説明する。先ず、シャフト部材２１において、取っ手２３との境に位置する軸体２２の端部２２ｂにナット２５を挿通しておき、軸体２２の軸回りに捻りブラシ部連設体８の各捻りブラシ部７を配置する。そして、各捻りブラシ部７のそれぞれが連結されている側の端部の複数の金属線部分２ａをナット２５の孔２５ａ内に挿通した状態にして取っ手２３の一端部２３ａに設けた雄ネジ２４ｂにナット２５を螺合して、これらの金属線部分２ａを纏めて、軸体２２の端部２２ｂの位置に固着する。
【００１７】
そして、ブラシ部連設体８の各捻りブラシ部７の自由な側の端部の複数の金属線部分２ｂを纏めて環状のスペーサ２６に挿通し、この状態で、軸体２２の一端部２２ａに設けた雄ネジ２４ａにナット２７を螺合する。こうして、ブラシ部連設体８の各捻りブラシ部７の両端部の複数の金属線部分２ａ，２ｂを纏めてそれぞれ軸体２２の両端部に固着する。このブラシ２０では、各捻りブラシ部７は中央部分が膨出し、軸体２２は、これら捻りブラシ部７の中心位置に挿通された芯軸であり、この芯軸の一方の端部が外部に延在して取っ手２３を構成している。
【００１８】
前記のブラシ１０、ブラシ２０を構成する芯軸としては、コイルバネのような伸縮可能な軸体３１を使用して形成することもできる。ここではブラシ２０を例にとって図４を参照して説明する。
【００１９】
図４において、シャフト部材２１は、棒状の取っ手２３に伸縮可能な軸体３１を固着して形成してある。ブラシ部連設体８の各捻りブラシ部７の両端側の複数の金属線部分２ａ，２ｂを纏めて、伸縮可能な軸体３１の両端３１ａ，３１ｂに袋状の絞り金具１３を被せ、かしめて一体に固着し、全体として軸体３１を芯軸として各捻りブラシ部７の中央部分が膨出するようにブラシ２０を形成することができる。
【００２０】
ブラシ１０、２０は、ワークの通孔内に挿入して擦ると、ブラシ毛４が弾性変形するだけでなく、各金属線部分２も弾性変形して、捻りブラシ部７の全体がワークの通孔内を研摩・研削することができるので、通孔の内面に突出したバリを十分に除去することができる。
【００２１】
以上、本発明を図面の実施例に基づいて説明したが、本発明は上記した実施例に限定されるものではなく、特許請求の範囲に記載の構成を変更しない限りどのようにでも実施することができる。
【図面の簡単な説明】
【００２２】
【図１】本発明の各実施例に共通して使用した成形金属線の金属線部分間にブラシ毛を装着した状態の概略図である。
【図２】（ａ）（ｂ）は、本発明の実施例１に係るブラシの正面図である。
【図３】（ａ）は本発明の実施例２に係るブラシの一部欠截正面図、（ｂ）は同ブラシの係合部分を拡大した概略図である。
【図４】シャフト部材の軸体にコイルバネを使用した本発明の実施例２に係るブラシの一部欠截正面図である。
【符号の説明】
【００２３】
１  金属線
２  金属線部分
２ａ  一端側の金属線部分
２ｂ  他端側の金属線部分
３  成形金属線
４  ブラシ構成部分
５  ブラシ毛
７  捻りブラシ部
８  捻りブラシ部連設体
１０，２０  ブラシ
１１，２２  軸体
１１ａ  軸体１１の端部
１１ｂ，２４ａ，２４ｂ  雄ネジ
１２，２５，２７  ナット
１３  袋状の絞り金具
２１  シャフト部材
２２ａ，２２ｂ  軸体２２の端部
２３  取っ手
２３ａ  取っ手２３の一端部
２６  環状のスペーサ
３１  コイルバネ
【図１】
2007167365.tif 000003
【図２】
2007167365.tif 000004
【図３】
2007167365.tif 000005
【図４】
2007167365.tif 000006